【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
情報記録ディスクに向けて集光する対物レンズがフレームに弾性的に支持され、前記対物レンズを前記情報記録ディスクの情報トラック横断方向に移動可能なトラッキングアクチェータと前記対物レンズを介して入射する反射光を光電変換する光電変換回路とを有するピックアップと、
前記情報トラックの横断方向に前記ピックアップを移動させることができるピックアップ送り手段と、
前記光電変換回路から出力される信号に基づいて前記対物レンズと前記情報トラックとのずれ量及びずれ方向に応じた信号レベル及び極性を持つトラッキング誤差信号を生成する検波回路と、
前記トラッキング誤差信号を入力し、前記トラッキングアクチェータ及びピックアップ送り手段を動作させて前記対物レンズをトラックに追従させるトラッキングサーボ制御及びスレッドサーボ制御を行うと共に、前記トラッキングサーボ制御のサーボループを開いて前記情報トラックの横断方向に前記対物レンズを移動させるトラック横断制御を行う制御手段と、を具備して成り、
前記制御手段は、前記トラッキング誤差信号を入力してトラッキングサーボループ内での位相補償を行う位相補償手段と、トラッキングサーボループを閉じてトラッキングサーボ引き込みを行うときトラッキングアクチェータに対物レンズの動きを制動させるブレーキ信号の発生回路とを備え、
前記ブレーキ信号の発生回路は、前記位相補償手段の出力と前記光電変換回路から出力される信号のエンベロープ検波信号との位相関係に基づいてブレーキ信号を生成し、
前記位相補償手段は、前記トラッキングサーボ引き込み動作に呼応して低域補償部をバイパスさせる信号経路を具備して成るものであることを特徴とするディスクアクセス装置。
【請求項２】
情報記録ディスクに向けて集光する対物レンズがフレームに弾性的に支持され、前記対物レンズを前記情報記録ディスクの情報トラック横断方向に移動可能なトラッキングアクチェータと前記対物レンズを介して入射する反射光を光電変換する光電変換回路とを有するピックアップと、
前記情報トラックの横断方向に前記ピックアップを移動させることができるピックアップ送り手段と、
前記光電変換回路から出力される信号に基づいて前記対物レンズと前記情報トラックとのずれ量及びずれ方向に応じた信号レベル及び極性を持つトラッキング誤差信号を生成する検波回路と、
前記トラッキング誤差信号を入力、前記トラッキングアクチェータ及びピックアップ送り手段を動作させて前記対物レンズをトラックに追従させるトラッキングサーボ制御及びスレッドサーボ制御を行うと共に、前記トラッキングサーボ制御のサーボループを開いて前記情報トラックの横断方向に前記対物レンズを移動させるトラック横断制御を行う制御手段と、を具備して成り、
前記制御手段は、前記トラッキング誤差信号を入力してトラッキングサーボループ内での位相補償を行う位相補償手段と、トラッキングサーボループを閉じてトラッキングサーボ引き込みを行うときトラッキングアクチェータに対物レンズの動きを制動させるブレーキ信号の発生回路とを備え、
前記ブレーキ信号の発生回路は、前記位相補償手段の出力と前記光電変換回路から出力される信号のエンベロープ検波信号との位相関係に基づいてブレーキ信号を生成し、
前記位相補償手段は、前記トラッキングサーボ引き込み動作に呼応して低域補償部への入力をその出力側に切り替えるスイッチ手段を具備して成るものであることを特徴とするディスクアクセス装置。
【請求項３】
情報記録ディスクに向けて集光する対物レンズがフレームに弾性的に支持され、前記対物レンズを前記情報記録ディスクの情報トラック横断方向に移動可能なトラッキングアクチェータと前記対物レンズを介して入射する反射光を光電変換する光電変換回路とを有するピックアップと、
前記情報トラックの横断方向に前記ピックアップを移動させることができるピックアップ送り手段と、
前記光電変換回路から出力される信号に基づいて前記対物レンズと前記情報トラックとのずれ量及びずれ方向に応じた信号レベル及び極性を持つトラッキング誤差信号を生成する検波回路と、
前記トラッキング誤差信号を入力し、前記トラッキングアクチェータ及びピックアップ送り手段を動作させて前記対物レンズをトラックに追従させるトラッキングサーボ制御及びスレッドサーボ制御を行うと共に、前記トラッキングサーボ制御のサーボループを開いて前記情報トラックの横断方向に前記対物レンズを移動させるトラック横断制御を行う制御手段と、を具備して成り、
前記制御手段は、前記トラッキング誤差信号を入力してトラッキングサーボループ内での位相補償を行う第１の位相補償手段を有すると共に、トラッキングサーボループを閉じてトラッキングサーボ引き込みを行うときトラッキングアクチェータに対物レンズの動きを制動させるブレーキ信号の発生回路を備え、
前記ブレーキ信号の発生回路は、前記第１の位相補償手段の出力と前記光電変換回路から出力される信号のエンベロープ検波信号の出力との位相関係に基づいてブレーキ信号を生成し、
前記エンベロープ検波信号の伝達経路には前記第１の位相補償手段と同等の位相遅延を形成する第２の位相補償手段を具備して成るものであることを特徴とするディスクアクセス装置。
【請求項４】
情報記録ディスクに向けて集光する対物レンズがフレームに弾性的に支持され、前記対物レンズを前記情報記録ディスクの情報トラック横断方向に移動可能なトラッキングアクチェータと前記対物レンズを介して入射する反射光を光電変換する光電変換回路とを有するピックアップと、
前記情報トラックの横断方向に前記ピックアップを移動させることができるピックアップ送り手段と、
前記光電変換回路から出力される信号に基づいて前記対物レンズと前記情報トラックとのずれ量及びずれ方向に応じた信号レベル及び極性を持つトラッキング誤差信号を生成する検波回路と、
前記トラッキング誤差信号を入力し、前記トラッキングアクチェータ及びピックアップ送り手段を動作させて前記対物レンズをトラックに追従させるトラッキングサーボ制御及びスレッドサーボ制御を行うと共に、前記トラッキングサーボ制御のサーボループを開いて前記情報トラックの横断方向に前記対物レンズを移動させるトラック横断制御を行う制御手段と、を具備して成り、
前記制御手段は、トラッキングサーボループ内での位相補償を行う位相補償手段と、トラッキングサーボループを閉じてトラッキングサーボ引き込みを行うときトラッキングアクチェータに対物レンズの動きを制動させるブレーキ信号の発生回路とを備え、
前記ブレーキ信号の発生回路は、前記トラッキング誤差信号と前記光電変換回路から出力される信号のエンベロープ検波信号とに基づいてブレーキ信号を生成し、
前記位相補償手段は、前記トラッキングサーボ引き込み動作に呼応して低域補償部をバイパスさせる信号経路を具備して成るものであることを特徴とするディスクアクセス装置。
【請求項５】
情報記録ディスクに向けて集光する対物レンズがフレームに弾性的に支持され、前記対物レンズを前記情報記録ディスクの情報トラック横断方向に移動可能なトラッキングアクチェータと前記対物レンズを介して入射する反射光を光電変換する光電変換回路とを有するピックアップと、
前記情報トラックの横断方向に前記ピックアップを移動させることができるピックアップ送り手段と、
前記光電変換回路から出力される信号に基づいて前記対物レンズと前記情報トラックとのずれ量及びずれ方向に応じた信号レベル及び極性を持つトラッキング誤差信号を生成する検波回路と、
前記トラッキング誤差信号を入力し、前記トラッキングアクチェータ及びピックアップ送り手段を動作させて前記対物レンズをトラックに追従させるトラッキングサーボ制御及びスレッドサーボ制御を行うと共に、前記トラッキングサーボ制御のサーボループを開いて前記情報トラックの横断方向に前記対物レンズを移動させるトラック横断制御を行う制御手段と、を具備して成り、
前記制御手段は、前記トラッキング誤差信号を入力してトラッキングサーボループ内での位相補償を行う位相補償手段と、トラッキングサーボループを閉じてトラッキングサーボ引き込みを行うときトラッキングアクチェータに対物レンズの動きを制動させるブレーキ信号の発生回路とを備え、
前記ブレーキ信号の発生回路は、前記位相補償手段の出力と前記光電変換回路から出力される信号のエンベロープ検波信号との位相関係に基づいてブレーキ信号を生成し、
前記位相補償手段は、前記トラッキングサーボ引き込み動作に呼応して低域補償部をバイパスさせ、前記位相関係がずれることを阻止する信号経路を具備して成るものであることを特徴とするディスクアクセス装置。